(57)【要約】【課題】誤操作を生じずに操作の取り消しが可能であって操作性を向上させることができる入力装置を提供すること。【解決手段】携帯端末装置１０は、第１の操作部を有する第１の操作領域と、第２の操作部を有する第２の操作領域とが隣接配置された表示画面を表示するＬＣＤ１３およびＬＥＤ１５と、第１の操作領域内の第１の操作部が指示体によって指し示されて選択されたことを検出する第１タッチパネル１７と、第２の操作領域内の第２の操作部が指示体によって指し示されて選択されたことを検出する静電センサ１９と、第１の操作部が指示体によって指し示された後、表示画面に触れた状態を維持しながら第１の操作部の外部の取消領域に指示体を移動させたときに第１の操作部の選択状態を取り消す操作処理部１２Ｅとを備える。取消領域には、第２の操作領域内の第２の操作部が含まれている。【選択図】図１
2015022668.tif 000002
【特許請求の範囲】
【請求項１】
第１の操作部を有する第１の操作領域と、第２の操作部を有する第２の操作領域とが隣接配置された表示画面を表示する表示装置と、
前記第１の操作領域内の前記第１の操作部が指示体によって指し示されて選択されたことを検出する第１の検出手段と、
前記第２の操作領域内の前記第２の操作部が前記指示体によって指し示されて選択されたことを検出する第２の検出手段と、
前記第１の操作部が前記指示体によって指し示された後、前記表示画面に触れた状態を維持しながら前記第１の操作部の外部の取消領域に前記指示体を移動させたときに前記第１の操作部の選択状態を取り消す操作取消判定手段と、
を備え、前記取消領域には、前記第２の操作領域内の前記第２の操作部が含まれることを特徴とする入力装置。
【請求項２】
請求項１において、
前記第１および第２の検出手段のそれぞれは、異なる検出方式を用いて前記第１あるいは第２の操作部の選択状態を検出することを特徴とする入力装置。
【請求項３】
請求項１または２において、
前記第１および第２の操作領域の少なくとも一方は、前記第１あるいは第２の操作部の内容あるいは位置が変更可能であることを特徴とする入力装置。
【請求項４】
請求項３において、
前記第１および第２の検出手段の少なくとも一方は、タッチパネルであることを特徴とする入力装置。
【請求項５】
請求項１〜４のいずれか一項において、
前記前記第１および第２の操作領域の少なくとも一方は、前記第１あるいは第２の操作部の内容および位置が変更不可であることを特徴とする入力装置。
【請求項６】
請求項５において、
前記第１および第２の検出手段の少なくとも一方は、静電方式によって前記指示体の選択状態の検出を行うことを特徴とする入力装置。
【請求項７】
請求項１〜６のいずれか一項において、
前記指示体は、利用者の指であることを特徴とする入力装置。
【発明の詳細な説明】
【技術分野】
【０００１】
本発明は、利用者の指等で画面を触って操作指示を行う入力装置に関する。
【背景技術】
【０００２】
従来から、利用者がタッチパッドから指を離したタイミングで選択されている文字を入力するようにした文字入力システムが知られている（例えば、特許文献１参照。）。この文字入力システムでは、文字入力画面を第１階層文字表示画面と第２階層文字表示画面に分け、第１階層文字表示画面には各々の文字グループの代表文字入力ボタン群を表示し、第２階層文字表示画面には文字グループ毎の文字入力ボタン群を表示している。
【先行技術文献】
【特許文献】
【０００３】
【特許文献１】特開２０１１−５３８５３号公報
【発明の概要】
【発明が解決しようとする課題】
【０００４】
ところで、上述した特許文献１に開示された文字入力システムでは、利用者が第２階層文字表示画面内のいずれの文字も選択したくない場合には、第２階層文字表画面の外部に指を移動させて離せばよい。しかし、指を離す外部の領域に他の操作領域が配置されているとこの他の操作領域を誤って操作してしまうことになり、操作の取り消しが利用者の意図したようにできずに操作性が悪いという問題があった。
【０００５】
本発明は、このような点に鑑みて創作されたものであり、その目的は、誤操作を生じずに操作の取り消しが可能であって操作性を向上させることができる入力装置を提供することにある。
【課題を解決するための手段】
【０００６】
上述した課題を解決するために、本発明の入力装置は、第１の操作部を有する第１の操作領域と、第２の操作部を有する第２の操作領域とが隣接配置された表示画面を表示する表示装置と、第１の操作領域内の第１の操作部が指示体によって指し示されて選択されたことを検出する第１の検出手段と、第２の操作領域内の第２の操作部が指示体によって指し示されて選択されたことを検出する第２の検出手段と、第１の操作部が指示体によって指し示された後、表示画面に触れた状態を維持しながら第１の操作部の外部の取消領域に指示体を移動させたときに第１の操作部の選択状態を取り消す操作取消判定手段とを備え、取消領域には、第２の操作領域内の第２の操作部が含まれている。
【０００７】
これにより、第１の操作部に指示体で触れた後、この触れた状態を維持しながら第２の操作部まで移動して指示体を離した場合であっても、誤って第２の操作部が選択されてしまうことを回避することができ、誤操作を生じずに操作の取り消しが可能であって操作性を向上させることができる。
【０００８】
また、上述した第１および第２の検出手段のそれぞれは、異なる検出方式を用いて第１あるいは第２の操作部の選択状態を検出することが望ましい。これにより、操作部の検出方式が異なる場合であっても、誤操作を生じずに操作の取り消しを行うことが可能となる。
【０００９】
また、上述した第１および第２の操作領域の少なくとも一方は、第１あるいは第２の操作部の内容あるいは位置が変更可能であることが望ましい。また、上述した第１および第２の検出手段の少なくとも一方は、タッチパネルであることが望ましい。これにより、内容あるいは位置が変更されて第１の操作部と第２の操作部とが接近した場合であっても、確実に操作の取り消しを行うことが可能となる。
【００１０】
また、上述した第１および第２の操作領域の少なくとも一方は、第１あるいは第２の操作部の内容および位置が変更不可であることが望ましい。また、上述した第１および第２の検出手段の少なくとも一方は、静電方式によって指示体の選択状態の検出を行うことが望ましい。これにより、操作部の内容が固定された方式、例えば静電方式を用いた場合であっても、確実に操作の取り消しを行うことが可能となる。
【００１１】
また、上述した指示体は、利用者の指であることが望ましい。これにより、利用者が指で表示画面を直接触ることにより生じる誤操作を防止することができる。
【図面の簡単な説明】
【００１２】
【図１】一実施形態の携帯端末装置の全体構成を示す図である。
【図２】タッチパネルあるいは静電センサを用いて操作中にその操作を取り消す動作手順を示す流れ図である。
【図３】操作部の説明図である。
【図４】第１の操作部に対応するキャンセル領域を示す図である。
【図５】第２の操作部に対応するキャンセル領域を示す図である。
【図６】タッチパネルのみを用いた変形例を示す図である。
【図７】タッチパネルのみを用いた変形例を示す図である。
【図８】タッチパネルのみを用いた変形例を示す図である。
【発明を実施するための形態】
【００１３】
以下、本発明の入力装置を適用した一実施形態の携帯端末装置について、図面を参照しながら説明する。図１は、一実施形態の携帯端末装置の全体構成を示す図である。図１に示す携帯端末装置１０は、例えば一般にはスマートフォンと称される携帯端末であって、携帯電話機と携帯情報端末の機能を有する。この携帯端末装置１０は、制御部１２、ＬＣＤ（液晶表示装置）１３、表示処理部１４、ＬＥＤ（発光ダイオード）１５、ドライバ１６、タッチパネル１７、入力処理部１８、２０、２２、静電センサ１９、操作部２１、電話処理部３０、オーディオ処理部４０、増幅器４１、スピーカ４２、メモリ５０を備えている。
【００１４】
制御部１２は、携帯端末装置１０の全体を制御したり各種の機能を実行するためのものであり、ＲＯＭやＲＡＭに格納された所定のプログラムをＣＰＵで実行することにより実現される。ＬＣＤ１３は、携帯端末装置１０の表示装置であって、各種の機能を実行した結果や各種の操作画面などを表示する。これらの表示は、表示処理部１４の制御によって行われる。ＬＥＤ１５は、特定の操作部を表示するためのものであり、ＬＣＤ１３に隣接した位置に搭載されている。ドライバ１６は、ＬＥＤ１５を駆動して点灯させる。
【００１５】
タッチパネル１７は、ＬＣＤ１３の表面に搭載されており、ＬＣＤ１３の表示画面の一部が一部が利用者によって指し示されたときにその指示位置を検出する。入力処理部１８は、タッチパネル１７の操作内容を監視し、利用者による入力内容を検出する。静電センサ１９は、ＬＥＤ１５の表面に配置されており、ＬＥＤ１５によって形成される特定の操作部（複数）のいずれかが利用者によって指し示されたときにその接触状態を検出する。入力処理部２０は、ＬＥＤ１５の操作内容を監視し、利用者による入力内容を検出する。操作部２１は、各種のスイッチを含んで構成されている。入力処理部２２は、操作部２１の操作内容を監視し、利用者による入力内容を検出する。
【００１６】
電話処理部３０は、携帯電話機としての処理を行う。例えば、電話処理部３０は、基地局（図示せず）との間で発着信処理を行って通話処理やインターネット接続処理等を行う通信手段として動作する。
【００１７】
オーディオ処理部４０は、携帯端末装置１０が音楽プレーヤとして動作する際に、メモリ５０から読み出された楽曲データを再生するためのものであり、データ形式毎の音声復号処理等を行ってオーディオ信号を出力する。このオーディオ信号は、増幅器４１によって増幅され、スピーカ４２から出力される。
【００１８】
メモリ５０は、地図データや楽曲データ、映像データおよびこれらの付属データを格納する。例えば、フラッシュメモリやＲＡＭなどの半導体メモリあるいはハードディスク装置などを用いて構成されている。なお、利用者によって追加されるアプリケーションプログラムはメモリ５０に格納される。
【００１９】
また、本実施形態では、図１に示すように、制御部１２は、実行可能な機能として、音楽プレーヤ処理部１２Ａ、ナビゲーション処理部１２Ｂ、電話処理部１２Ｃ、操作処理部１２Ｅを含んでいる。これらの各処理部の一部は、利用者によってメモリ５０に追加されたアプリケーションプログラムを実行することにより実現される機能である。
【００２０】
音楽プレーヤ処理部１２Ａは、メモリ５０から読み出した楽曲データの再生動作をオーディオ処理部４０に指示を送って行う。ナビゲーション処理部１２Ｂは、メモリ５０から地図データを読み出して（あるいは、図示しない地図サーバから通信によって地図データを取得して）、自車位置周辺の地図画像を表示したり、所定の条件に適合する施設を検索したりするナビゲーション動作を行う。電話処理部１２Ｃは、電話処理部３０を用いて電話をかけたり受けたりする処理を行う。
【００２１】
上述したＬＣＤ１３、ＬＥＤ１５が表示装置に、第１および第２の検出手段がタッチパネル１７、静電センサ１９に、操作処理部１２Ｅが操作取消判定手段にそれぞれ対応する。
【００２２】
本実施形態の携帯端末装置１０はこのような構成を有しており、次に、その動作を説明する。図２は、タッチパネル１７あるいは静電センサ１９を用いて操作中にその操作を取り消す動作手順を示す流れ図である。
【００２３】
操作処理部１２Ｅは、第１の操作部を指示体としての利用者の指がタッチしているか（指し示しているか）否かを判定する（ステップ１００）。図３は、操作部の説明図である。本実施形態では、ＬＣＤ１３が第１の操作領域に、ＬＥＤ１５が第２の操作領域に対応している。また、第１の操作領域の一部には第１の操作部としての「１」、「２」、「３」、「４」、「５」、「６」の各ボタンが配置されている。これらの各ボタンは、ＬＣＤ１３の表示によって実現され、必要に応じて位置や内容が変更可能であって、図３に示す例ではこれらのボタンが用いられている。また、第２の操作領域の一部には第２の操作部としての「−」、「＋」、「ＨＯＭＥ」の各ボタンが配置されている。これらの各ボタンは、ＬＥＤ１５によって実現されているため、位置を変更することはできない。
【００２４】
第１の操作部（図３に示す「１」、「２」等）がいずれもタッチされていない場合にはステップ１００の判定において否定判断が行われる。操作処理部１２Ｅは、第２の操作部を指示体としての利用者の指がタッチしているか（指し示しているか）否かを判定する（ステップ１０２）。第２の操作部（図３に示す「−」、「＋」等）がいずれもタッチされていない場合には否定判断が行われ、ステップ１００に戻って第１の操作部のタッチ判定が繰り返される。
【００２５】
また、第１の操作部のいずれかがタッチされた場合にはステップ１００の判定において肯定判断が行われる。次に、操作処理部１２Ｅは、タッチした状態を維持しながら第１の操作部外に移動したか否かを判定する（ステップ１０４）。ここで、第１の操作部外とは、第１の操作部に対応するキャンセル領域（取消領域）のことであって、第１の操作部（「１」、「２」、「３」、「４」、「５」、「６」）周囲の領域を指しており、第２の操作部も含まれる。タッチした状態で第１の操作部外に移動した場合にはステップ１０４の判定において肯定判断が行われ、操作処理部１２Ｅは、利用者の操作を取り消す（ステップ１０６）。その後、ステップ１００に戻って第１の操作部のタッチ判定が繰り返される。
【００２６】
また、タッチした状態で第１の操作部外に移動していない場合にはステップ１０４の判定において否定判断が行われる。次に、操作処理部１２Ｅは、タッチ状態が終了したか否かを判定する（ステップ１０８）。終了していない場合には否定判断が行われ、ステップ１０４の判定が繰り返される。また、タッチ状態が終了した場合にはステップ１０８の判定において肯定判断が行われる。次に、操作処理部１２Ｅは、タッチ終了時点の操作部（ボタン）を入力操作部として決定する（ステップ１１０）。この場合にはその入力ボタンに対応付けられた利用者の指示を実行する処理が行われる。
【００２７】
また、第２の操作部のいずれかがタッチされた場合にはステップ１０２の判定において肯定判断が行われる。次に、操作処理部１２Ｅは、タッチした状態を維持しながら第２の操作部外に移動したか否かを判定する（ステップ１１２）。ここで、第２の操作部外とは、第２の操作部に対応するキャンセル領域（取消領域）のことであって、第２の操作部（「−」、「＋」、「ＨＯＭＥ」）周囲の領域を指しており、第１の操作部も含まれる。タッチした状態で第２の操作部外に移動した場合にはステップ１１２の判定において肯定判断が行われ、操作処理部１２Ｅは、利用者の操作を取り消す（ステップ１０６）。その後、ステップ１００に戻って第１の操作部のタッチ判定が繰り返される。
【００２８】
また、タッチした状態で第２の操作部外に移動していない場合にはステップ１１２の判定において否定判断が行われる。次に、操作処理部１２Ｅは、タッチ状態が終了したか否かを判定する（ステップ１１４）。終了していない場合には否定判断が行われ、ステップ１１２の判定が繰り返される。また、タッチ状態が終了した場合にはステップ１１４の判定において肯定判断が行われる。次に、操作処理部１２Ｅは、タッチ終了時点の操作部（ボタン）を入力操作部として決定する（ステップ１１０）。この場合にはその入力ボタンに対応付けられた利用者の指示を実行する処理が行われる。
【００２９】
図４は、第１の操作部に対応するキャンセル領域を示す図である。キャンセル領域がハッチングを付して示されている。図４に示すように、このキャンセル領域には、第１の操作部に隣接する第２の操作部（「−」等）が含まれる。なお、実際には、第１の操作部の周囲の第１の操作領域もキャンセル領域として用いられるが、図４では、第２の操作領域全体がキャンセル領域として用いられることを明らかにするために、第２の操作領域に対応するキャンセル領域のみが示されている。
【００３０】
図５は、第２の操作部に対応するキャンセル領域を示す図である。キャンセル領域がハッチングを付して示されている。図５に示すように、このキャンセル領域には、第２の操作部に隣接する第１の操作部（「１」等）が含まれる。なお、実際には、第２の操作部の周囲の第２の操作領域もキャンセル領域として用いられるが、図５では、第１の操作領域全体がキャンセル領域として用いられることを明らかにするために、第１の操作領域に対応するキャンセル領域のみが示されている。
【００３１】
このように、本実施形態の携帯端末装置１００では、第１の操作部に指示体（利用者の指）で触れた後、この触れた状態を維持しながら第２の操作部まで移動して指示体を離した場合であっても、誤って第２の操作部が選択されてしまうことを回避することができ、誤操作を生じずに操作の取り消しが可能であって操作性を向上させることができる。
【００３２】
また、タッチパネル１７と静電センサ１９という異なる検出方式を用いて第１あるいは第２の操作部の選択状態を検出しており、操作部の検出方式が異なる場合であっても、誤操作を生じずに操作の取り消しを行うことが可能となる。
【００３３】
特に、一方の操作領域（第１の操作領域）はその表示内容あるいは位置が変更可能であって、第１の操作領域に含まれる第１の操作部の選択状態の検出はタッチパネル１７で行っている。これにより、内容あるいは位置が変更されて第１の操作部と第２の操作部とが接近した場合であっても、確実に操作の取り消しを行うことが可能となる。
【００３４】
また、他方の操作領域（第２の操作領域）はその表示内容および位置が変更不可であって、第２の操作領域に含まれる第２の操作部の選択状態の検出は静電センサ１９で行っている。これにより、操作部の内容が固定された方式である静電センサ１９を用いた場合であっても、確実に操作の取り消しを行うことが可能となる。
【００３５】
また、指示体として利用者の指を用いることにより、利用者が指で表示画面を直接触ることにより生じる誤操作を防止することができる。
【００３６】
なお、本発明は上記実施形態に限定されるものではなく、本発明の要旨の範囲内において種々の変形実施が可能である。例えば、上述した実施形態では、ＬＣＤ１３を用いて第１の操作領域を表示し、ＬＥＤ１５を用いて第２の操作領域を表示したが、ＬＣＤ１３を用いて第２の操作領域を表示し、ＬＥＤ１５を用いて第１の操作領域を表示するようにしてもよい。また、ＬＣＤ１３とＬＥＤ１５の少なくとも一方を他の方式の表示装置に入れ替えるようにしてもよい。また、指示体として利用者の指を用いたが、タッチペン等の他の指示体を用いるようにしてもよい。
【００３７】
また、上述した実施形態では、タッチパネル１７と静電センサ１９を用いたが、少なくとも一方の他の検出方式に入れ替えるようにしてもよい。あるいは、すべてを単一の検出方式で実現するようにしてもよい。図６は、ＬＣＤ１３を用いて第１の操作領域Ａと第２の操作領域Ｂを表示した場合の説明図である。この場合には、第１の操作領域Ａに含まれる第１の操作部としての「着信」、「発信」、「不在」の各ボタンの外部が、第１の操作領域Ａに対応するキャンセル領域となる（図７）。一方、第２の操作領域Ｂに含まれる第２の操作部としての「０」〜「９」の各ボタンの外部が、第２の操作領域Ｂに対応するキャンセル領域となる（図８）。
【００３８】
また、上述した実施形態では、携帯端末装置１０について説明したが、指示体を用いて操作ボタンを選択する装置であれば本発明を適用することができる。
【産業上の利用可能性】
【００３９】
上述したように、本発明によれば、第１の操作部に指示体で触れた後、この触れた状態を維持しながら第２の操作部まで移動して指示体を離した場合であっても、誤って第２の操作部が選択されてしまうことを回避することができ、誤操作を生じずに操作の取り消しが可能であって操作性を向上させることができる。
【符号の説明】
【００４０】
１０  携帯端末装置
１２  制御部
１２Ｅ  操作処理部
１３  ＬＣＤ
１４  表示処理部
１５  ＬＥＤ
１６  ドライバ
１７  タッチパネル
１８、２０、２２  入力処理部
１９  静電センサ
２１  操作部
【図１】
2015022668.tif 000003
【図２】
2015022668.tif 000004
【図３】
2015022668.tif 000005
【図４】
2015022668.tif 000006
【図５】
2015022668.tif 000007
【図６】
2015022668.tif 000008
【図７】
2015022668.tif 000009
【図８】
2015022668.tif 000010